(57)【要約】【課題】本願発明は、モータにより掃除具を直線往復動する電動クリーナーを提供する。【解決手段】モータ３により後伝達体７と、掃除具１５を連結の前伝達体１０とを備え、前伝達体１０の前面とケース１との間にバネ１４を挿入して前伝達体１０を後伝達体７側に押圧し、後伝達体７の前側の後傾斜面８に合致する前傾斜面９を前記前伝達体１０に形成し、前記前伝達体１０に長孔１２を形成し、その長孔１２にケースに端部を固定の誘導突起１３を挿入する。【選択図】図１
2012200474.tif 000002
【特許請求の範囲】
【請求項１】
ケースに内臓のモータにより回転軸を介して回転する後伝達体と、ケース外の掃除具を連結の前伝達体とを備え、
前記前伝達体の前面とケースとの間にバネを挿入して、常時、前記前伝達体を後伝達体側に押圧し、
前記後伝達体の前側の後傾斜面に合致する前傾斜面を前記前伝達体に形成し、
前記連結体に直進往復方向に長孔を形成し、その長孔にケースに端部を固定の誘導突起を挿入することを特徴とする電動クリーナー。
【請求項２】
ケースに内臓のモータにより回転軸を介して回転する操作体と、ケース外の掃除具を連結の誘導体とを備え、
前記誘導体の外周に１周無端状の誘導溝を形成し、その誘導溝に前記操作体の突起体を挿入し、
前記誘導体に直進往復方向に長孔を形成し、その長孔にケースに端部を固定の誘導突起を挿入してなることを特徴とする電動クリーナー。
【請求項３】
ケースに内臓のモータにより回転軸を介して回転する中間体と、その中間体に連結の伝達体を備え、
前記伝達体にケース外の掃除具を連結し、
前記伝達体の右側面に一致する傾斜面をケース内に形成し、
前記伝達体に往復動方向に長孔を形成すると共に、前記中間体に固定の誘導軸を挿入してなることを特徴とする電動クリーナー。
【請求項４】
ケースに内臓のモータにより回転軸を介して回転する中間体と、その中間体に連結の伝達体を備え、
前記伝達体にケース外の掃除具を連結し、
前記伝達体の外周に１周無端状の誘導溝を形成し、
前記誘導溝にケースの内部に形成の突起体を挿入し、
前記伝達体に往復動方向に長孔を形成すると共に、前記中間体に固定の誘導軸を挿入してなることを特徴とする電動クリーナー。
【請求項５】
請求項１から請求項５のいずれか１項の電動クリーナーであって、
モータの回転軸に振動子を偏心して取り付けることを特徴とする電動クリーナー。
【発明の詳細な説明】
【技術分野】
【０００１】
本願発明は、モータにより直線往復動する電動クリーナーに関し、並びに直線往復動と回転を行う電動クリーナーに関する。
【背景技術】
【０００２】
従来、電動クリーナーとして、例えば、歯を掃除する歯間ブラシがあり、その歯間ブラシは、モータの回転運動を運動変換機構を介して直線往復動に変換しているものがある。そして、例えば、引用文献１に開示の運動変換機構は、ピニオンとクラウン歯車の運動変換機構及び偏心軸部を用いて、歯間ブラシの直線往復動を行っている。
また、引用文献２の図６に開示の歯間ブラシは、往復動するローターに直結のシャフトにネジ溝を形成し、そのネジ溝に突起部を挿入することにより、シャフトの端部に取り付けてあるブラシは回転しながら直線往復動をする。
【先行技術文献】
【特許文献】
【０００３】
【特許文献１】特開平９−２４０５７号公報
【特許文献２】特開２０１０−２２０９９９号公報
【発明の概要】
【発明が解決しようとする課題】
【０００４】
引用文献１に開示の直線往復動は、ピニオンとクラウン歯車及び偏心軸部を用いた機構であり、歯間ブラシを直線往復動させるに当たって、簡便な機構が望ましい。また、引用文献２に開示の歯間ブラシは、回転と直線往復動をなすに当たって、シャフトに形成のネジ溝と突起部の組み合わせ機構を用いているが、この機構は往復動するローターを用いていて、一方向に回転するモータを用いていない。
そこで、本願発明の電動クリーナーでは、直線往復動と回転との機構をより簡便に構成するものを提供する。
【課題を解決するための手段】
【０００５】
請求項１の電動クリーナーは、ケースに内臓のモータにより回転軸を介して回転する後伝達体と、ケース外の掃除具を連結の前伝達体とを備えている。また、前記前伝達体の前面とケースとの間にバネが挿入されていて、常時、前記前伝達体を後伝達体側に押圧している。また、前記後伝達体の前側の後傾斜面に合致する前傾斜面が前記前伝達体に形成されていて、前記前伝達体に直進往復方向に長孔が形成されていて、その長孔にケースに端部を固定の誘導突起が挿入されている。そこで、モータを回転すると、前記後伝達体と前記前伝達体の傾斜面により、掃除具は直線往復動する。
【０００６】
請求項２の電動クリーナーは、ケースに内臓のモータにより回転軸を介して回転する操作体と、ケース外の掃除具を連結の誘導体とを備えている。また、前記誘導体の外周に１周無端状の誘導溝が形成してあり、その誘導溝に前記操作体の突起体が挿入してある。また、前記誘導体に直進往復方向に長孔を形成し、その長孔にケースに端部を固定の誘導突起が挿入してある。そこで、モータを回転すると、回転する誘導溝を介して、掃除具が直線往復動する。
【０００７】
請求項３の電動クリーナーは、ケースに内臓のモータにより回転軸を介して回転する中間体と、その中間体に連結の伝達体を備えている。また、前記伝達体にケース外の掃除具が連結されていて、前記伝達体の右側面に一致する傾斜面がケース内に形成してある。前記伝達体に往復動方向に長孔を形成すると共に、前記中間体に固定の誘導軸が挿入してある。そこで、モータを回転すると、伝達体の傾斜面を介して、掃除具が直線往復動と回転をする。
【０００８】
請求項４の電動クリーナーは、ケースに内臓のモータにより回転軸を介して回転する中間体と、その中間体に連結の伝達体を備えている。また、前記伝達体にケース外の掃除具が連結されていて、前記伝達体の外周には１周無端状の誘導溝が形成され、前記誘導溝にケースの内部に形成の突起体が挿入されている。また、前記伝達体に往復動方向に長孔を形成すると共に、前記中間体に固定の誘導軸を挿入してある。そこで、モータを回転すると、誘導溝を介して、掃除具は直線往復動と回転する。
請求項５の電動クリーナーは、モータの回転軸に振動子が偏心して取り付けられているので掃除具を振動させる。
【発明の効果】
【０００９】
本願の電動クリーナーは、簡便な構造で、直線往復動と回転をする。
【図面の簡単な説明】
【００１０】
【図１】直線往復動する電動クリーナーの掃除具の断面図である。
【図２】他の構成により直線往復動する電動クリーナーの掃除具の断面図である。
【図３】直線往復動と回転する電動クリーナーの掃除具の断面図である。
【図４】他の構成により直線往復動と回転する電動クリーナーの掃除具の断面図である。
【発明を実施するための形態】
【００１１】
本願発明の電動クリーナーについて、図面を参照して説明する。
図１は電動クリーナーとして、所謂、電動楊子の図であり、楊子が直線往復動する断面図である。
ケース１内には、電池２が内蔵してあり、その電池２を介してモータ３はスイッチを４によって回転、停止する。前記モータ３の回転軸５には、振動子６が前記回転軸５に偏心して取り付けてあり、楊子１５に振動を与える。
また、前記回転軸５には、前記ケース１の内径より僅かに小さな円筒状の後伝達体７が取り付けてあり、この後伝達体７の前側には、角度θ１の後傾斜面８が形成してある。一方、前記後傾斜面８に合致する前傾斜面９を形成の前伝達体１０がケース１の内径より僅かに小さく形成してあり、ケース１内に内蔵してある。尚、前記角度θ１は、楊子１５が往復動する振幅を決定する。
【００１２】
また、前記前伝達体１０には連結体１１を介して、ケース外の楊子１５が取り付けてある。また、前記前伝達体体１０には直進往復方向に長孔１２が形成してあり、その長孔１２にはケース１に端部を固定の誘導突起１３が挿入してあり、前伝達体１０の往復動を導くと共に前伝達体１０の回転、即ち、掃除具(ここでは楊子)１５の回転を阻止している。また、前記前伝達体１０の前面とケース１との間にバネ１４が挿入されていて、常時、前記前伝達体１０を後伝達体７側に押圧している。
【００１３】
次に、前記電動楊子の操作について説明すると、スイッチ４を入れるとモータ３は一方向に回転し、後伝達体７が回転すると共に、回転軸５に偏心して取り付けてある振動子６によって、回転軸５が振動回転をする。
そして、前記振動回転する回転軸５によって、後伝達体７の後傾斜面８は振動しながら回転し、同じ傾斜の前傾斜面９に対して、順次、広くなり、回転しない前記前伝達体１０に振動を伝達しながら往動（左方向）し、バネ１４を縮め、振動する楊子１５を往動(左方向)させる(図１の下図)。
【００１４】
そして、前記後伝達体７の更なる回転によって、今度は、後傾斜面８の回転によって前傾斜面９に対して、順次、狭くなり、バネ１４の反発力によって、回転しない前傾斜面９を復動（右方向）し、楊子１５を復動(右方向)させる(図１の上図)。
以上のように、モータ３の回転により、後伝達体７が振動回転すると共に、その振動を前傾斜面９に伝達し、後傾斜面８と前傾斜面９及びバネ１４との作用により、掃除具(楊子)１５は往復動する。
従って、楊子１５に備えてある糸１５ａを歯と歯の間に挿入して、モータ３を回転させると、糸１５ａは振動しながら往復動して、歯石を取り除くことができる。
【００１５】
次に、図２は電動クリーナーとして、所謂、電動楊子の図であり、楊子１５が直線往復動する断面図である。
ケース１内には、電池２が内蔵してあり、その電池２を介してモータ３はスイッチを４によって回転、停止する。
また、前記回転軸５には、前記ケース１の内径より僅かに小さなコ字状の操作体２０が取り付けてあり、その先端部には後述の誘導溝２２に挿入の突起体２０ａが形成してある。
また、ケース１外の端部に楊子１５を取り付けの連結体１１が誘導体２１に取り付けてあり、この誘導体２１の外周には、角度θ２で、１周無端状の前記誘導溝２２が形成されている。
また、前記誘導体２１には直進往復方向に長孔２３が形成してあり、その長孔２３には端部をケース１に固定の誘導突起２４が挿入してあり、誘導体２１の往復動を導くと共に、誘導体２１の回転、即ち、掃除具(ここでは楊子)１５の回転を阻止している。
【００１６】
次に、前記電動楊子の操作について説明すると、スイッチ４を入れるとモータ３は一方向に回転し、操作体２０が回転する。この操作体２０の回転は、回転する突起体２０ａが挿入されている角度θ２に形成されている誘導溝２２によって、誘導体２１は往動(左方向)し(図２の下図)、更に操作体２０が回転する回転すると、角度θ２に形成されている誘導溝２２によって、誘導体２１は復動する(図２の上図)。
以上のように、モータ３の一方向の回転によって回転する操作体２０の突起体２０ａと角度θ２の１周にわたる無端状の誘誘導溝２２によって、誘導体２１は往復度するので、掃除具（楊子）１５に備える糸１５ａは往復動する。
【００１７】
次に、図３は電動クリーナーとして、歯間ブラシの図であり、ブラシが直線往復動と回転する断面図である。
ケース１内には、電池２が内蔵してあり、その電池２を介してモータ３はスイッチを４によって回転、停止する。前記モータ３の回転軸５には、中間体２９が取り付けてあり、この中間体２９は伝達体３０に挿入してある。
この伝達体３０の右側面３０ａは、角度θ３の傾斜状であり、この右側面３０ａと一致する傾斜面１ａがケース１内に形成されている。また、伝達体３０には往復動方向に長孔３１が形成されていると共に、前記中間体２９に固定の誘導軸３２が挿入されている。従って、前記中間体２９の回転は伝達体３０を回転すると共に、後記で詳述する右側面３０ａと傾斜面１ａとの作用により伝達体３０を往復動する。
また、前記伝達体３０には、連結体１１を介して掃除具(ここではブラシ)３５が取り付けてあり、前記伝達体３０の前面とケース１との間にバネ３６が挿入されていて、常時、前記伝達体３０を傾斜面１ａ側に押圧している。
【００１８】
次に、前記電動ブラシの操作について説明すると、スイッチ４を入れるとモータ３は一方向に回転し、中間体２９が回転すると共に、伝達体３０及び、連結体１１を介してブラシ３５が回転する。また、前記操中間体２９の回転に伴って、伝達体３０の右側面３０ａと傾斜面１ａの間は順次広くなるにつれて、伝達体３０はバネ３６の縮めて往動(左方向)し、ブラシ３５も往動(左方向)する(図３の下図)。そして、更に、操中間体２９が回転すると、伝達体３０の右側面３０ａと傾斜面１ａの間は順次狭くなり、伝達体３０はバネ３６の反発力により復動(右方向)し、ブラシ３５も復動(右方向)する(図３の上図)。
【００１９】
以上のように、モータ３の一方向の回転によって、操操中間体２９、伝達体３０が回転してブラシ３５を回転させると共に、伝達体３０の右側面３０ａと傾斜面１ａ及びバネ３６によって、伝達体３０、即ち、ブラシ３５が往復動する。即ち、この掃除具(ブラシ)３５は、回転しながら往復動する。
【００２０】
次に、図４は電動クリーナーである歯間ブラシの図であり、歯間ブラシが直線往復動と回転する断面図である。
ケース１内には、電池２が内蔵してあり、その電池２を介してモータ３はスイッチを４によって回転、停止する。前記モータ３の回転軸５には、中間体２９が取り付けてあり、この中間体２９は伝達体４０に挿入してある。
この伝達体４０の外周には、角度θ４で、１周無端状の前記誘導溝４４が形成されている。一方、前記ケース１の内部には、前記誘導溝４４に挿入されている突起体１ｂが形成されている。また、伝達体４０には往復動方向に長孔４１が形成されていると共に、前記中間体２９に固定の誘導軸４２が挿入されている。従って、前記中間体２９の回転は伝達体４０を回転すると共に、後記で詳述する誘導溝４４を介して伝達体４０を往復動する。
また、前記伝達体４０には、連結体１１を介して掃除具(ここではブラシ)３５が取り付けてある。
【００２１】
次に、前記電動ブラシの操作について説明すると、スイッチ４を入れるとモータ３は一方向に回転し、操中間体２９が回転すると共に、伝達体３０及び、連結体１１を介してブラシ３５が回転する。また、前記操中間体２９の回転に伴って、誘導溝４４によって、連結体１１は往動(左方向)し、ブラシ３５も往動(左方向)する(図４の下図)。そして、更に、操中間体２９が回転すると、伝達体４０に形成の誘導溝４４によって、連結体１１は往動し(右方向)、掃除具(ブラシ)３５も往動(右方向)する(図４の上図)。
【００２２】
以上のように、モータ３の一方向の回転によって、操操中間体２９、伝達体４０が回転してブラシ３５を回転させると共に、伝達体４０に形成の誘導溝４４によって、伝達体４０、即ち、ブラシ３５が往復動する。即ち、この掃除具(ブラシ)３５は、回転しながら往復動する。
【００２３】
モータ３は電池式に限定するものではないし、前記モータ３の回転軸５には、図１に示す構成においては振動子６を前記回転軸５に偏心して取り付けて掃除具に振動を与える構成であるが、他の構成(図２〜図４)のクリーナーの構成において、取り付けてもよい。また、この電動クリーナーは、楊子、ブラシ等に替えて、靴を磨いたり、試験管やビンを掃除したり等、目的に合う掃除具に替えることによって、種々の分野に適用できる。
【符号の説明】
【００２４】
１  ケース
１ａ  傾斜面
１ｂ  突起体
３  モータ
５  モータ軸
６  振動子
７  後伝達体
８  後傾斜面
９  前傾斜面
１０  前伝達体
１５  掃除具(楊子)
２０  操作体
２０ａ  突起体
２１  誘導体
２２  誘導溝
２３  長孔
２４  誘導突起
２９  中間体
３０  伝達体
３１  長孔
３２  誘導軸
３５  掃除具(ブラシ)
４０  伝達体
４２  誘導軸
４４  誘導溝
【図１】
2012200474.tif 000003
【図２】
2012200474.tif 000004
【図３】
2012200474.tif 000005
【図４】
2012200474.tif 000006